(57)【特許請求の範囲】
【請求項１】
一次圧導入口、前記一次圧導入口の下流側に配設される二次側圧力口、前記一次圧導入口と前記二次側圧力口との間に設けられる大気開放口、が形成されたボディと、
前記ボディの内部で前記一次圧導入口と前記大気開放口との間に配設され、前記一次圧導入口と前記二次側圧力口および前記大気開放口とを縁切りするダイヤフラムと、
前記ボディの内部に配設され、前記ダイヤフラムに前記一次圧導入口側の一次圧がかかることで前記二次側圧力口側に付勢され、前記二次側圧力口と前記大気開放口とを閉塞または開放する弁体と、
前記ボディの内部に配設され、前記弁体を前記一次圧導入口側に付勢するバネと、
前記ダイヤフラムよりも上流側の前記一次圧導入口と前記大気開放口とを連通する連通路と、
前記連通路に配設され、前記連通路を閉塞または開放する過圧逃し弁体と、
前記連通路に配設され、前記過圧逃し弁体を前記一次圧導入口側に付勢する調整バネと、を備え、前記一次圧導入口が所定圧力以上のとき、前記過圧逃し弁体が前記連通路を開放して、前記一次圧導入口と前記大気開放口とが連通する構成としたことを特徴とする大気開放弁。
【請求項２】
前記請求項１に記載の大気開放弁の上流側に給湯配管を、下流側に浴槽配管を接続したことを特徴とする給湯装置。
【発明の詳細な説明】
【技術分野】
【０００１】
本発明は、大気開放弁に関するものである。
【背景技術】
【０００２】
従来この種の大気開放弁は、図４に示されているように、スプリング６によってダイヤフラム８と当接状態にされているピストン７に、コルゲート部３１を受け止めるダイヤフラム受け部３２を設けている。
【０００３】
これにより、給水管からの元圧（一次圧Ｐ１）を受けてピストン７の側に膨出しているコルゲート部３１が高圧によって伸びたとしても、ダイヤフラム受け部３２がコルゲート部３１を受け止めることで破断をさけられるようにして、ダイヤフラム８の耐圧を向上させている（例えば、特許文献１参照）。
【先行技術文献】
【特許文献】
【０００４】
【特許文献１】特開２００８−６９７９５号公報
【発明の概要】
【発明が解決しようとする課題】
【０００５】
しかしながら、従来の大気開放弁では配管内の凍結などにより一次側に非常に高い圧力がかかればダイヤフラムは破断してしまう。また、ダイヤフラムの耐圧強度を増すために、ポリエステル樹脂の基布によって補強する必要があった。
【０００６】
本発明は、前記従来の課題を解決するもので、一次側の圧力が上昇しても、ダイヤフラムの破損を防ぐことができ、さらにダイヤフラムの軽量化を実現した大気開放弁を提供することを目的とする。
【課題を解決するための手段】
【０００７】
前記従来の課題を解決するために、本発明の大気開放弁は、一次圧導入口、前記一次圧導入口の下流側に配設される二次側圧力口、前記一次圧導入口と前記二次側圧力口との間に設けられる大気開放口、が形成されたボディと、前記ボディの内部で前記一次圧導入口と前記大気開放口との間に配設され、前記一次圧導入口と前記二次側圧力口および前記大気開放口とを縁切りするダイヤフラムと、前記ボディの内部に配設され、前記ダイヤフラムに前記一次圧導入口側の一次圧がかかることで前記二次側圧力口側に付勢され、前記二次側圧力口と前記大気開放口とを閉塞または開放する弁体と、前記ボディの内部に配設され、前記弁体を前記一次圧導入口側に付勢するバネと、前記ダイヤフラムよりも上流側の前記一次圧導入口と前記大気開放口とを連通する連通路と、前記連通路に配設され、前記連通路を閉塞または開放する過圧逃し弁体と、前記連通路に配設され、前記過圧逃し弁体を前記一次圧導入口側に付勢する調整バネと、を備え、前記一次圧導入口が所定圧力以上のとき、前記過圧逃し弁体が前記連通路を開放して、前記一次圧導入口と前記大気開放口とが連通する構成としたことを特徴とするもので、一次側の圧力が上昇すると、大気開放弁側に圧力を逃すことにより、ダイヤフラムの破損を防ぐことができ、ダイヤフラムを軽量化することが可能となる。
【発明の効果】
【０００８】
本発明によれば、一次側の圧力が上昇しても、ダイヤフラムの破損を防ぐことができ、さらにダイヤフラムの軽量化を実現した大気開放弁を提供できる。
【図面の簡単な説明】
【０００９】
【図１】本発明の実施の形態１における大気開放弁の断面図
【図２】同給湯装置のシステム図
【図３】参考例における大気開放弁の断面図
【図４】従来の大気開放弁の断面図
【発明を実施するための形態】
【００１０】
第１の発明は、一次圧導入口、前記一次圧導入口の下流側に配設される二次側圧力口、前記一次圧導入口と前記二次側圧力口との間に設けられる大気開放口、が形成されたボディと、前記ボディの内部で前記一次圧導入口と前記大気開放口との間に配設され、前記一次圧導入口と前記二次側圧力口および前記大気開放口とを縁切りするダイヤフラムと、前記ボディの内部に配設され、前記ダイヤフラムに前記一次圧導入口側の一次圧がかかることで前記二次側圧力口側に付勢され、前記二次側圧力口と前記大気開放口とを閉塞または開放する弁体と、前記ボディの内部に配設され、前記弁体を前記一次圧導入口側に付勢するバネと、前記ダイヤフラムよりも上流側の前記一次圧導入口と前記大気開放口とを連通する連通路と、前記連通路に配設され、前記連通路を閉塞または開放する過圧逃し弁体と、前記連通路に配設され、前記過圧逃し弁体を前記一次圧導入口側に付勢する調整バネと、を備え、前記一次圧導入口が所定圧力以上のとき、前記過圧逃し弁体が前記連通路を開放して、前記一次圧導入口と前記大気開放口とが連通する構成としたことを特徴とする大気開放弁である。
【００１１】
これにより、一次側の圧力が上昇すると、大気開放弁側に圧力を逃すことにより、ダイヤフラムの破損を防ぐことができる。
【００１２】
以下、本発明の実施の形態について、図面を参照して説明する。なお、この実施の形態によって本発明が限定されるものではない。
【００１３】
（実施の形態１）
図１は、本発明の第１の実施の形態における大気開放弁の断面図を示すものである。第一のボディ１と第二のボディ２とを備え、第一のボディには浴槽側（二次側）の圧力を導入している二次側圧力口３が開けられており前記二次側圧力口３を塞ぐように弁体４が配置されている。前記弁体４はバネ押え５を介してバネ６によって前記二次側圧力口から離れる方向に付勢されている。
【００１４】
ピストン７は弁体４に当接され、前記弁体４と反対側にダイヤフラム８が当接されている。前記ダイヤフラム８は第一のボディ１と第二のボディ２に挟まれており、外部への水漏れを防いでいる。第二のボディ２には一次側の圧力を導入するための第一の一次圧導入口９と第二の一次圧導入口１０が開いており、第二の一次圧導入口１０を閉塞するように過圧逃し弁体１１が当接設置され、前記過圧逃し弁体１１は過圧逃しバネ押え１２を介して、調整バネ１３により過圧逃し弁体１１により第二の一次圧導入口１０を塞ぐように付勢されている。第一のボディ１と第二のボディ２の間にはＯリング１４が挟み込まれており、外部への水漏れを防いでいる。
【００１５】
図２に本発明の第１の実施の形態における給湯装置のシステム図を示す。貯湯槽１５とヒートポンプ熱源１６を備え、給水源から供給された水は給水配管１７を通り、貯湯槽１５の下部から入水された水は貯湯槽１５に貯まる。貯湯槽１５の下部とヒートポンプ熱源１６とは沸き上げポンプ１８を介してヒートポンプ往き配管１９で接続されている。ヒートポンプ熱源１６の内には圧縮機２０が内蔵され、ヒートポンプ熱源１６に入水された湯水を熱交換して温度を上げてヒートポンプ戻り配管２１を通り貯湯槽１５の上部に戻る。
【００１６】
貯湯槽１５に貯められた温水は、給湯配管２２の先に設置されている電磁弁２３を開弁することにより、第一逆止弁２４、第二逆止弁２５を通り浴槽２６に供給される。電磁弁２３の上流に位置している給湯配管２２は分岐されて、大気開放弁の一次圧導入口２７に接続されており、第一逆止弁２４と第二逆止弁２５の間の浴槽配管２８は大気開放弁の二
次側圧力口３に接続されている。
【００１７】
以上のように構成された大気開放弁について、以下その動作、作用を説明する。
【００１８】
通常使用時は、電磁弁２３の上流の給湯配管２２には給水圧とほぼ同じ一次圧がかかっており、大気開放弁のダイヤフラム８に第一の一次圧導入口を通り一次圧がかかり、バネ６の押し力に抗して弁体４が二次側圧力口３を塞ぎ、浴槽２６に注湯していても浴槽水が大気開放口２９から出ることはない。また、一次圧導入口２７と二次側圧力口３および大気開放口２９はダイヤフラム８によって縁切りされている。
【００１９】
貯湯槽１５に供給されている給水圧が断水等により負圧になった場合、第一逆止弁２４と第二逆止弁２５によって浴槽２６の汚水が貯湯槽１５に逆流するのを防いでいるが、第一逆止弁２４および第二逆止弁２５に異物等が挟み逆止機能が損なわれた場合、浴槽２６の汚水は貯湯槽１５に逆流してしまう。
【００２０】
前記逆流を防止するために大気開放弁が設置されており、貯湯槽１５に供給されている給水圧が負圧になった場合、給湯配管２２および一次圧導入口２７が負圧になり、ダイヤフラムを押す力がなくなり、バネ６によって弁体４が二次側圧力口３を開弁する方向に離れて、二次側圧力口３と大気開放口２９が開通し、浴槽２６の汚水が大気開放口２９を通り大気に放出され、貯湯槽１５に浴槽２６の汚水が逆流するのを防いでいる。
【００２１】
ここで、電磁弁２３が閉弁時に給湯配管２２の水圧が凍結等により上昇した場合、第一の一次圧導入口を通じてダイヤフラム８に過大な圧力が加わり、ダイヤフラム８が破損してしまう。前記ダイヤフラムの破損を防ぐにはダイヤフラム８をポリエステル樹脂の基布によって補強する等の対策を施さなければならないが、ダイヤフラム８が厚くなり、コストが増大するなどの不具合が生じ、たとえダイヤフラム８を補強したとしても、凍結による圧力上昇によるダイヤフラム８の破断を完全に防ぐことはできない。
【００２２】
そこで、一次圧導入口２７の圧力が上昇した場合、第二の一次圧導入口１０を通じて過圧逃し弁体１１を開弁方向に押し上げて、過圧逃し弁体１１が開弁し、大気開放口２９に圧力が逃げるようにすることにより、ダイヤフラム８が破断する圧力以下に圧力上昇を抑えることが可能となる。また、過圧逃し弁体１１の閉弁力は調整バネ１３のバネ力を変えることにより調整可能である。
【００２３】
（参考例）
図３は、参考例における大気開放弁の断面図を示すものである。第一のボディ１と第二のボディ２とを備え、第一のボディには浴槽側（二次側）の圧力を導入している二次側圧力口３が開けられており前記二次側圧力口３を塞ぐように弁体４が配置されている。前記弁体４はバネ押え５を介してバネ６によって前記二次側圧力口から離れる方向に付勢されている。
【００２４】
ピストン７は弁体４に当接され、前記弁体４と反対側にダイヤフラム８が当接されている。前記ダイヤフラム８は第一のボディ１と第二のボディ２に挟まれており、外部への水漏れを防いでいる。第二のボディ２には一次側の圧力を導入するための第一の一次圧導入口９が開いており、ダイヤフラム８に一次圧を導入している。
【００２５】
ピストン７には一次圧を導入する第二の一次圧導入口１０が開いており、前記第二の一次圧導入口１０を閉塞する方向に、過圧逃し弁体１１が過圧逃しバネ押え１２を介して、調整バネ１３によって付勢されている。調整バネ１３は押えふた３０によって圧縮設置されている。
【００２６】
以上のように構成された大気開放弁について、以下その動作、作用を説明する。
【００２７】
一次側の圧力が上昇し、第一の一次圧導入口を通じてダイヤフラム８に圧力が加わるが、ダイヤフラム８が破断する前に、第二の一次圧導入口を通じて過圧逃し弁体１１を開弁方向に押し上げて、過圧逃し弁体１１が開弁し、大気開放口２９に圧力が逃げるようにすることにより、ダイヤフラム８が破断する圧力以下に圧力上昇を抑えることが可能となる。
【００２８】
また、過圧逃し機構をピストン７の中に設置することにより、大気開放弁を小型化することが可能となる。また、ピストン７の中に過圧逃し機構が設置されているため、大気開放弁として完成品にする前に、ピストン単体で過圧逃し機構の作動圧力等を検査することが可能であり、組立て性が向上する。
【産業上の利用可能性】
【００２９】
以上のように、本発明にかかる大気開放弁は、一次側の圧力が上昇すると、圧力緩和装置が作動して大気開放弁側に圧力を逃すことが可能となり、ダイヤフラムの破損を防ぐことができ、給湯機に備え付けられている浴槽水の汚水の逆流防止機構として設置されている大気開放弁の信頼性を向上させることが可能となる。また、ダイヤフラムを小型軽量化することが可能となりより安価な大気開放弁を提供することが可能となる。
【符号の説明】
【００３０】
１  第一のボディ
２  第二のボディ
３  二次側圧力口
４  弁体
５  バネ押え
６  バネ
７  ピストン
８  ダイヤフラム
９  第一の一次圧導入口
１０  第二の一次圧導入口
１１  過圧逃し弁体
１２  過圧逃しバネ押え
１３  調整バネ
１４  Ｏリング
１５  貯湯槽
１６  ヒートポンプ熱源
１７  給水配管
１８  沸き上げポンプ
１９  ヒートポンプ往き配管
２０  圧縮機
２１  ヒートポンプ戻り配管
２２  給湯配管
２３  電磁弁
２４  第一逆止弁
２５  第二逆止弁
２６  浴槽
２７  一次圧導入口
２８  浴槽配管
２９  大気開放口
３０  押えふた
３１  コルゲート部
３２  ダイヤフラム受け部
【図１】
0005671693.tif 000002
【図２】
0005671693.tif 000003
【図３】
0005671693.tif 000004
【図４】
0005671693.tif 000005